(57)【要約】【課題】被収納物の搬入・取り出しを楽に行うことのできる収納庫を提供すること。【解決手段】収納庫１は、箱状本体の前面に被収納物Ｍの出し入れ口３が形成されている収納庫であって、箱状本体の底板部５上方に前記出し入れ口３から前方へ引き出し可能に配備された荷受台９と、出し入れ口３近傍の底板部５上に回動自在に軸支され、荷受台９の下面を支持して前後方向に回転する前支持車輪３３と、箱状本体の内側面４Ｒに本体内向きに突設されて、荷受台９の受板部２８の後部上面を摺動自在に当該上面から支持する上面支持部２３と、荷受台９の後部下面に回動自在に軸支されて箱状本体の底板部５上を前後方向に転動する後支持車輪５０とを具備している。【選択図】図５
2008039204.tif 000002
【特許請求の範囲】
【請求項１】
箱状本体の前面に被収納物の出し入れ口が形成されている収納庫であって、
箱状本体の底板部上方に前記出し入れ口から前方へ引き出し可能に配備された荷受台と、
出し入れ口近傍の底板部上に回動自在に軸支され、荷受台の下面を支持して前後方向に回転する前支持車輪と、
箱状本体の内側面に本体内向きに突設されて、荷受台の後部上面を摺動自在に当該上面から支持する上面支持部と、
荷受台の後部下面に回動自在に軸支されて箱状本体の底板部上を前後方向に転動する後支持車輪とを具備してなることを特徴とする収納庫。
【請求項２】
箱状本体の左右の内側面に前後に沿って固設される横板部材を備え、該横板部材に、前記の上面支持部が突設され、横板部材の後部に、荷受台の後端と当接する後ストッパ部材が設けられている請求項１に記載の収納庫。
【請求項３】
箱状本体の左右の内側面に上下に沿って固設される棚支持部材と、横板部材から本体内向きに突設された平板部とを備え、該平板部上に棚支持部材が支持されている請求項１または請求項２に記載の収納庫。
【請求項４】
横板部材と荷受台との間で係脱自在に係合して荷受台の前進を規制する鍵部材を、横板部材の前部または荷受台の前部に設けてなる請求項１から請求項３のいずれか一項に記載の収納庫。
【請求項５】
出し入れ口近傍の箱状本体の底板部の下面に、高さ調節ボルト付きの脚部を配置し、脚部上方の底板部に、箱状本体内から高さ調節ボルトを操作するための貫通穴を形成し、底板部上の前記貫通穴を蓋う位置に前支持車輪を配置してなる請求項１から請求項４のいずれか一項に記載の収納庫。
【発明の詳細な説明】
【技術分野】
【０００１】
本発明は、被収納物の搬入・取り出しを楽に行える収納庫に関するものである。
【背景技術】
【０００２】
従来、この種の収納庫としては、本出願人により出願されて下記の特許文献１に開示されたものが知られている。かかる収納庫の箱状本体は、地面などに設置される底板部と、底板部の左右両辺にそれぞれ立設された側板部と、底板部の後辺に立設された背板部と、両側板部および背板部の各上辺に冠着された天板部とから構成されており、前面が玄米袋など被収納物の出し入れ口と成っている。前記の取り出し口は扉により開閉自在に封止されるようになっている。この収納庫では、庫内を玄米の保存に適した温度に保持するよう、冷却装置が配備されている。
【０００３】
【特許文献１】特開２００１−１７４１２９号公報
【発明の開示】
【発明が解決しようとする課題】
【０００４】
ところで、玄米袋は１袋３０Ｋｇ程度と重いので、出し入れ口近傍の底板部上に玄米袋を搬入・取り出しする場合であっても、数がかさむと重労働になる。また、箱状本体内の奥側の底板部上に玄米袋の搬入・取り出しを行う場合は、上半身を屈めて箱状本体内の奥深くまで入れるといった無理な姿勢で搬入・取り出し作業を行なわなければならない。その際に頭が箱状本体の天板部にぶつかることもある。
一方で、近年の農業事情から非力な高齢者や女性の農業従事者が増えているが、かかる高齢者や女性に、かなり重い被収納物を無理な姿勢で搬入・取り出しさせるのは酷に過ぎる。
【０００５】
本発明は、上記した従来の問題点に鑑みてなされたものであって、被収納物の搬入・取り出しを楽に行うことのできる収納庫の提供を目的とする。
【課題を解決するための手段】
【０００６】
上記目的を達成するために、本発明に係る収納庫は、箱状本体の前面に被収納物の出し入れ口が形成されている収納庫であって、箱状本体の底板部上方に前記出し入れ口から前方へ引き出し可能に配備された荷受台と、出し入れ口近傍の底板部上に回動自在に軸支され、荷受台の下面を支持して前後方向に回転する前支持車輪と、箱状本体の内側面に本体内向きに突設されて、荷受台の後部上面を摺動自在に当該上面から支持する上面支持部と、荷受台の後部下面に回動自在に軸支されて箱状本体の底板部上を前後方向に転動する後支持車輪とを具備してなる構成にしてある。
【０００７】
また、前記構成において、箱状本体の左右の内側面に前後に沿って固設される横板部材を備え、該横板部材に、前記の上面支持部が突設され、横板部材の後部に、荷受台の後端と当接する後ストッパ部材が設けられているものである。
【０００８】
そして、前記した各構成において、箱状本体の左右の内側面に上下に沿って固設される棚支持部材と、横板部材から本体内向きに突設された平板部とを備え、該平板部上に棚支持部材が支持されているものである。
【０００９】
更に、前記した各構成において、横板部材と荷受台との間で係脱自在に係合して荷受台の前進を規制する鍵部材を、横板部材の前部または荷受台の前部に設けてなるものである。
【００１０】
また、前記した各構成において、出し入れ口近傍の箱状本体の底板部の下面に、高さ調節ボルト付きの脚部を配置し、脚部上方の底板部に、箱状本体内から高さ調節ボルトを操作するための貫通穴を形成し、底板部上の前記貫通穴を蓋う位置に前支持車輪を配置してなるものである。
【発明の効果】
【００１１】
本発明に係る収納庫において、箱状本体の底板部上方に配備された荷受台は、出し入れ口近傍の底板部上に設けられた前支持車輪と、荷受台の後部下面に設けられた後支持車輪と、荷受台の後部上面を摺動自在に支持する上面支持部との協働により、箱状本体の出し入れ口から前方へ引き出される。これにより、荷受台上に被収納物の搬入・取り出しを行う際に、箱状本体の天板部が利用者と干渉しない。従って、利用者は比較的楽な姿勢で作業を行うことができる。すなわち、箱状本体の奥深くまで上半身を入れるといった無理な姿勢での被収納物の搬入作業や取り出し作業を行わずに済み、非力な高齢者や女性でも被収納物の搬入・取り出し作業を極めて楽に行なうことができる。
【００１２】
また、箱状本体の左右の内側面に前後に沿って固設された横板部材の後部に、荷受台の後端と当接する後ストッパ部材が設けられている場合は、後方移動した荷受台の後端が横板部材の後ストッパ部材と当接して停止する。これにより、荷受台の衝突による背板部の損傷や底板部からの脱落、ひいては脱落時に生じた開口からの冷気漏洩を防ぐことができる。
【００１３】
そして、横板部材の平板部上に棚支持部材が支持される場合は、平板部と棚支持部材が共通の箱状本体の左右の内側面に固設されるので、棚支持部材の支持が確実となり、経時使用によってもガタツキなどを生じにくいものを提供することができる。
【００１４】
更に、横板部材の前部または荷受台の前部に鍵部材を設けた場合は、鍵部材が横板部材と荷受台との間で係脱自在に係合して荷受台の前進を規制する。従って、被収納物を積んだ荷受台が自重により前進し出し入れ口から飛び出して利用者を負傷させるという不具合を防ぐことができる。
【００１５】
また、高さ調節ボルト付きの脚部および高さ調節ボルト操作用の貫通穴の上方位置である底板部上に、前支持車輪を配置した場合は、被収納物を積んだ荷受台の荷重が前支持車輪直下の脚部で受けられる。すなわち、脚部間の底板部に被収納物および荷受台の荷重がかかって底板部を変形させたり破損させたりするといったことを防止できる。
【発明を実施するための最良の形態】
【００１６】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る収納庫の外観図、図２は前記収納庫の扉を省略した正面図、図３は前記収納庫の一部断面を含む要部正面図、図４は前記収納庫の一部断面を含む要部平面図、図５は前記収納庫の一部断面を含む要部左側面図、図６は前記収納庫に用いる右側の横板部材と鍵部材を示す斜視図、図７は前記収納庫に用いる前支持車輪と脚部を示す一部断面を含む要部拡大正面図である。
【００１７】
各図において、この実施形態に係る収納庫１は矩形箱状の箱状本体２を備えている。箱状本体２は、例えば平面視矩形状の底板部５と、底板部５の右辺に立設された側板部４Ｒと、底板部５の左辺に立設された側板部４Ｌと、底板部５の後辺に立設された背板部７と、側板部４Ｒ，４Ｌおよび背板部７の各上辺に冠着された天板部６とから構成されており、本体前面は被収納物（例えば玄米袋Ｍ）を出し入れするための出し入れ口３として開口している。箱状本体２の前面には、側板部４Ｒ，４Ｌの前端に設けられたヒンジ部１２，１２，１２，１２を介して、２枚の扉１３，１３が、観音開き状に揺動自在に取り付けられている。これらの扉１３，１３により、出し入れ口３が開閉自在に封止される。底板部５は断熱材１６の表面がステンレス板などの外表材１７で被われたものである。側板部４Ｒ，４Ｌ、天板部６、背板部７、扉１３も底板部５と同様の断熱構造を有している。また、天板部６の上面には、庫内を被収納物に適した温度に冷却する冷却装置８が配備されている。
【００１８】
箱状本体２の底板部５の上方には、荷受台９が出し入れ口３から引き出し可能に配備されている。この荷受台９は、角パイプなどで平面視田の字状に形成された荷台枠１４と、荷台枠１４の後部３ヶ所の下面に溶接付けされた固定板４９，４９，４９と、固定板４９，４９，４９にそれぞれ垂設されたキャスター部１８，１８，１８と、荷台枠１４の左右側面の全面を被って固設された当て板部２７，２７と、当て板部２７，２７の下端からそれぞれ左右外向きに延在する受板部２８，２８と、当て板部２７，２７の前後略中央部で左右外向きに突設された突起部３２，３２と、固定板４９，４９，４９のそれぞれの前方位置で荷台枠１４の前部下面に前後に沿って固設されたレール１９，１９，１９とから構成されている。荷台枠１４の上面にはベニヤ板などの載置板１５が敷かれ、この載置板１５上に玄米袋Ｍ，Ｍ，Ｍ，・・・が載置される。
【００１９】
荷台枠１４のキャスター部１８，１８，１８と対面する位置の底板部５の後部上面には、キャスター部１８，１８，１８を転動させるレール２９，２９，２９が前後方向に沿ってそれぞれ固設されている。荷台枠１４のレール１９，１９，１９と対面する位置の底板部５の前部上面には、レール１９，１９，１９と接して前後方向に回転するキャスター部１０，１０，１０がそれぞれ設置されている。キャスター部１０の前支持車輪３３は正面視Ｕ字状の支持腕４０（図７）に架け渡された枢支軸４１にその軸心回りに回動自在に軸支されている。枢支軸４１の軸心Ｃは左右方向の水平軸心に設定されている。キャスター部１８は取付け姿勢が天地逆であること以外はキャスター部１０と同じ構成であり、保有する後支持車輪５０の軸心も左右方向の水平軸心に設定されている。
【００２０】
箱状本体２の右の側板部４Ｒの内側面には横板部材２０Ｒが前後に沿って固設され、左の側板部４Ｌの内側面には横板部材２０Ｌが前後に沿って固設されている。横板部材２０Ｒ（図６）は、側板部４Ｒの内側面に固設される横板部２１と、横板部２１の上端から本体内向きに一体に突設された水平な平板部２２と、横板部２１の前後略中央部に本体内向きに突設された突起状の上面支持部２３と、横板部２１の前部に本体内向きに突設されて荷受台９の突起部３２が当接する突起状の前ストッパ部材２４と、横板部２１の後端から本体内向きに一体に突設されて荷台枠１４の後端１４Ｒが当接する後ストッパ部材２５と、横板部２１の前端から本体内向きに一体に突設された鍵突起２６とから構成されている。横板部材２０Ｒは横板部２１に穿設されたネジ穴５１，５１，５１・・・を通されたビスなどで側板部４Ｒに固設される。左側の横板部材２０Ｌは鍵突起２６を備えていないこと以外は横板部材２０Ｒと左右対称の構造を有している。
【００２１】
そして、横板部材２０Ｒ，２０Ｌにおける上面支持部２３，２３の位置は、荷受台９が前進（矢印Ｆ）して突起部３２が前ストッパ部材２４に当接して停止したときに、上面支持部２３が未だ受板部２８の上面を支持している位置に設定されている。また、荷台枠１４は、前進した突起部３２が前ストッパ部材２４に当接した最前位置（図４，図５中の実線で示す１４の位置参照）から後退（矢印Ｂ）して荷台枠１４の後端１４Ｒが後ストッパ部材２５，２５に当接した帰還位置（図４，図５中の２点鎖線で示す１４Ｒの位置参照）までの行程Ｓ内を前後に移動可能となっている。帰還位置における荷台枠１４の前端１４Ｆは、図４中で底板部５の前端５Ｆ近傍の２点鎖線で示す位置にある。
【００２２】
箱状本体２の左の側板部４Ｌの内側面には前後所定の位置で２本の棚支持部材３０，３０が上下に沿ってビスなどで固設されており、右の側板部４Ｒの内側面にも前後所定の位置で２本の棚支持部材３０，３０が上下に沿ってビスなどで固設されている。これらの棚支持部材３０，３０，３０，３０はそれぞれ左右の平板部２２，２２上に支持されている。また、各棚支持部材３０には、棚掛止用の掛止穴３１，３１，・・・が上下所定間隔で複数穿設されている。
【００２３】
荷台枠１４の前端１４Ｆの右端には鍵部材３４が固設されており、この鍵部材３４は横板部材２０Ｒの鍵突起２６に係脱自在に係合して荷台枠１４の前進を規制するようになっている。鍵部材３４は、横向きに配置された半割りパイプ状のケース３５と、ケース３５内で左右方向（図６中の矢印Ｔ方向）に移動自在に収容された鍵棒３７と、鍵棒３７に突設された把手３６と、ケース３５に穿設されて把手３６を案内するガイド溝３８とから構成されている。
【００２４】
キャスター部１０，１０，１０の下方位置で底板部５の下面には、高さ調節ボルト４５付きの脚部１１（図７）が配備されている。脚部１１上方の底板部５には、箱状本体２内から高さ調節ボルト４５を操作するための貫通穴３９が形成されている。すなわち、キャスター部１０，１０，１０は底板部５上において貫通穴３９を蓋う位置に配置されている。各キャスター部１０は、底板部５の上面にビスなどで固設される基台部４２と、基台部４２の上面に立設された正面視Ｕ字状の支持腕４０，４０と、支持腕４０に架け渡された枢支軸４１と、支持腕４０，４０の間に配置されて枢支軸４１に回動自在に軸支された前支持車輪３３とから成っている。枢支軸４１の軸心Ｃは左右方向の水平軸心に設定されている。
【００２５】
脚部１１は、底板部５の下面にビスなどで固設されていて高さ調節ボルト４５が遊嵌自由な中心穴を有する基台部４３と、基台部４３の下面にその中心穴と同軸心で溶接などにより固着されて高さ調節ボルト４５と螺合する固定ナット４４と、高さ調節ボルト４５が遊嵌自由の中心穴を有する接地脚４８と、接地脚４８内に収容されて高さ調節ボルト４５の先端に溶接などで固定された固定ナット４６と、高さ調節作業後の高さ調節ボルト４５を締め付け固定するための留めナット４７とから構成されている。
【００２６】
以上の構成を備えた収納庫１において、玄米袋Ｍの搬入や搬出をする際には、扉１３，１３が開かれて出し入れ口３が開放され、荷受台９の荷台枠１４が手などで手前に引かれる。すると、荷受台９後部の後支持車輪５０，５０，５０がレール２９，２９，２９上を前方向（矢印Ｆ）に転動するとともに、底板部５前部の前支持車輪３３，３３，３３が荷受台９下面のレール１９，１９，１９を支持して前方向に回転する。そうして、玄米袋Ｍ，Ｍ，Ｍ，・・・および荷受台９の全体重心が前支持車輪３３，３３，３３よりも前に来ると、荷台枠１４の後端１４Ｒが浮き上がって、後支持車輪５０，５０，５０がレール２９，２９，２９から離れる。このとき、横板部材２０Ｒ，２０Ｌの上面支持部２３，２３は荷受台９の受板部２８，２８の後部上面を摺動自在に下向きに支持し、受板部２８，２８後部のそれ以上の浮き上がりを規制する。そして、引き出された荷受台９は突起部３２，３２が横板部材２０Ｒ，２０Ｌの前ストッパ部材２４，２４に当接した位置（図４、図５における実線で示す荷台枠１４の位置）で止まる。
【００２７】
このように荷台枠１４が前に出てくるので、利用者は荷台枠１４の手前側に玄米袋Ｍを搬入・取り出しする場合は無論のこと、荷台枠１４の奥側に玄米袋Ｍの搬入・取り出しを行う場合でも天板部６が干渉しないので比較的楽な姿勢で作業を行うことができる。加えて、前進した荷台枠１４の側方に利用者が回り込めば、よりいっそう楽に搬入・取り出しが行える。すなわち、箱状本体２の奥深くまで上半身を入れるといった無理な姿勢での玄米袋Ｍの搬入作業や取り出し作業を行わずに済み、非力な高齢者や女性でも玄米袋Ｍの搬入・取り出し作業を極めて楽に行なうことができる。
【００２８】
一方、荷受台９を箱状本体２内に格納する際には、荷台枠１４が手などで後方向に押される。すると、後方移動する荷受台９のレール２９，２９，２９を前支持車輪３３，３３，３３が支持しながら回転するとともに、横板部材２０Ｒ，２０Ｌの上面支持部２３，２３が荷受台９の受板部２８，２８の後部上面を下向きに支持しながら摺接する。そして、玄米袋Ｍ，Ｍ，Ｍ，・・・および荷受台９の全体重心が前支持車輪３３，３３，３３よりも後に来たとき、荷台枠１４の後端１４Ｒが下がり後支持車輪５０，５０，５０がレール２９，２９，２９に着地して転動する。従って、帰還位置への荷台枠１４の後方移動も楽に行なえるのである。そうして、後方移動した荷台枠１４はその後端１４Ｒが横板部材２０Ｒ，２０Ｌの後ストッパ部材２５，２５と当接してその位置（帰還位置）で停止する。これにより、荷台枠１４の衝突による背板部７の損傷や底板部５からの脱落、ひいては脱落時に生じた開口からの冷気漏洩を防ぐことができる。
【００２９】
そして、荷台枠１４が帰還位置に戻ったのちは、鍵部材３４の把手３６を手などで操作して鍵棒３７の先端を横板部材２０Ｒの鍵突起２６の後方に突出させる。これにより、鍵棒３７が横板部材２０Ｒにロックされて荷受台９の前方移動が規制される。従って、扉１３，１３を開いた際に、玄米袋Ｍ，Ｍ，Ｍ，・・・を積んで重くなった荷受台９が自重により前進し利用者と衝突して負傷させるという不具合を防ぐことができる。
【００３０】
そして、側板部４Ｒ，４Ｌの内側面に固設された横板部材２０Ｒ，２０Ｌの平板部２２，２２上に、共通の支持母材である側板部４Ｒ，４Ｌに固設される棚支持部材３０，３０，３０，３０が支持されているので、側板部４Ｒ，４Ｌに固設された棚支持部材３０，３０，３０，３０が例えば底板部５上に支持されたような場合と比べて、棚支持部材３０，３０，３０，３０の支持が確実となり経時使用によってもガタツキなどを生じにくいものとなる。
【００３１】
そして、脚部１１，１１，１１上方の、高さ調節ボルト４５操作用の貫通穴３９，３９，３９を蓋う底板部５上の位置に、前支持車輪３３付きのキャスター部１０，１０，１０が配置されているので、玄米袋Ｍ，Ｍ，Ｍ，・・・を積んで重くなった荷受台９の荷重がキャスター部１０，１０，１０直下の脚部１１，１１，１１で受けられる。すなわち、左右のキャスター部１０，１０，１０間に脚部１１，１１，１１を配置した場合のように、断熱材１６および外表材１７からなる脆弱構造の底板部５に、玄米袋Ｍ，Ｍ，Ｍ，・・・および荷受台９の重い荷重がかかって底板部５を変形させたり破損させたりするといったことを防止できる。
【００３２】
尚、上記の実施形態では、鍵部材３４を荷受台９側に設けたが、荷受台９側でなく横板部材２０Ｒの前部に鍵部材３４を設けても構わない。また、左側の横板部材２０Ｌのみ、あるいは両方の横板部材２０Ｒ，２０Ｌに設けることも可能である。
そして、荷受台の後部上面を支持する上面支持部としては上記の突起２３に替えて、車輪を用いても構わない。また、本発明の収納庫に収納する収納物は上記の玄米袋に限らない。
【図面の簡単な説明】
【００３３】
【図１】本発明の一実施形態に係る収納庫の外観図である。
【図２】前記収納庫の扉を省略した正面図である。
【図３】前記収納庫の一部断面を含む要部正面図である。
【図４】前記収納庫の一部断面を含む要部平面図である。
【図５】前記収納庫の一部断面を含む要部左側面図である。
【図６】前記収納庫に用いる右側の横板部材と鍵部材を示す斜視図である。
【図７】前記収納庫に用いる前支持車輪と脚部を示す一部断面を含む要部拡大正面図である。
【符号の説明】
【００３４】
１    収納庫
２    箱状本体
３    出し入れ口
４Ｌ  側板部
４Ｒ  側板部
５    底板部
９    荷受台
１０  キャスター部
１１  脚部
１４  荷台枠
１４Ｒ  後端
１８  キャスター部
２０Ｌ，２０Ｒ  横板部材
２２  平板部
２３  上面支持部
２５  後ストッパ部材
２６  鍵突起
２８  受板部
３０  棚支持部材
３３  前支持車輪
３４  鍵部材
３７  鍵棒
３９  貫通穴
４５  高さ調節ボルト
５０  後支持車輪
Ｂ    矢印
Ｆ    矢印
Ｍ    玄米袋（被収納物）
【図１】
2008039204.tif 000003
【図２】
2008039204.tif 000004
【図３】
2008039204.tif 000005
【図４】
2008039204.tif 000006
【図５】
2008039204.tif 000007
【図６】
2008039204.tif 000008
【図７】
2008039204.tif 000009